【事件の表示】
　特願２０１５−　６８６７３「サイン立て」拒絶査定不服審判事件〔平成２８年１１月　４日出願公開、特開２０１６−１８８９２８〕について、次のとおり審決する。
【結　論】
　本件審判の請求は、成り立たない。
【理　由】
第１　手続の経緯
　本願は、平成２７年３月３０日の出願であって、平成３０年３月２８日に手続補正書が提出され、平成３０年１２月２７日付けで拒絶理由が通知され、平成３１年３月４日に意見書及び手続補正書が提出され、同月５日に意見書が提出され、令和１年７月３０日付けで拒絶理由（最後）が通知され、同年１１月２２日に意見書及び手続補正書が提出されたが、令和２年１月３１日付けで令和１年１１月２２日に提出された手続補正書が却下されるとともに拒絶査定（以下「原査定」という。）がなされ、これに対し、同年５月１８日に拒絶査定不服審判の請求がなされると同時に手続補正書が提出されたものである。
第２　令和２年５月１８日に提出された手続補正書による補正についての補正却下の決定
［補正却下の決定の結論］
　令和２年５月１８日に提出された手続補正書による補正（以下「本件補正」という。）を却下する。
［理由］
１　補正の内容
　本件補正は、特許請求の範囲について、下記（１）に示す本件補正前の（すなわち、平成３１年３月４日に提出された手続補正書により補正された）特許請求の範囲の請求項１を、下記（２）に示す本件補正後の特許請求の範囲の請求項１へと補正することを含むものである。（下線は当審決で付した。以下同じ。）
（１）本件補正前の特許請求の範囲
「【請求項１】
透明な樹脂板を二つ折りして形成される二つ折り部が縦長の矩形形状の上端となるように立てて用いられ、折り曲げた内部に挟んで、予め定める前面側に表示すべきサインを保持する表示部材と、
　　表示部材の下側に配置され、矩形板状で表示部材の板厚の２倍を越える板厚を有し、直立させた状態の表示部材に対する支持部を備える支持部材と、
を含み、
　支持部材は、支持部から前面側への長さが、支持部から後面側への長さよりも長い、
むことを特徴とするサイン立て。」
（２）本件補正後の特許請求の範囲
「【請求項１】
　透明な樹脂板を二つ折りして形成される二つ折り部が縦長の矩形形状の上端となるように立てて用いられ、折り曲げた内部に挟んで、予め定める前面側に表示すべきサイン
として掛け軸用の仏画
　表示部材の下側に配置され、
透明な
を含み、
支持部材は、支持部から前面側への長さが、支持部から後面側への長さよりも長い、
こ
２　本件補正の適否について
　本件補正により、本件補正前の発明特定事項である「予め定める前面側に表示すべきサイン」について、「予め定める前面側に表示すべきサイン
として掛け軸用の仏画
　また、本件補正前の発明特定事項である「支持部材」について、「
透明な
　さらに、本件補正前の発明特定事項である「長い、むことを特徴とするサイン立て」について、「長い、ことを特徴とするサイン立て」と誤記を訂正するものである。
　そして、補正前の請求項１に記載された発明と補正後の請求項１に記載される発明とは、産業上の利用分野及び解決しようとする課題が同一である。
　そうすると、本件補正は、特許法第１７条の２第５項第２号に掲げる「特許請求の範囲の減縮」及び同法同条同項第３号に掲げる「誤記の訂正」を目的とするものに該当する。
　また、本件補正は、本願の願書の最初に添付した明細書の
「【００１７】
　図１は、本発明の実施例１としてのサイン立て１の概略的な構成を、（ａ）の正面図、および（ｂ）の右側面図でそれぞれ示す。サイン立て１は、大略的に矩形板状の表示部材２と、正面から見ると角柱状の支持部材３とからなる。表示部材２は、たとえばアクリル樹脂の透明な矩形板を二つ折りした状態で、二つ折り部２ａが上端となるように立てて用いられ、折り曲げた内部で、後述するように表示すべきサイン４を保持して表示する。支持部材３は、透明アクリル樹脂などを使用し、表示部材２を立てた状態で下端部２ｂ側を支持する。透明な矩形板を二つ折りした状態で、二つ折り部２ａが上端となるように立てて用いる表示部材２は、折り曲げた前面側２ｃと後面側２ｄとに挟まれる内部で印刷物や布などのサイン４を保持するので、汚れにくくすることができる。支持部材３は、前側３ａおよび後側３ｂに別れる。前側３ａおよび後側３ｂは、表示部材２の下端部２ｂ側で、前面側２ｃおよび後面側２ｄにそれぞれ接合され、表示部材２を立てた状態で支持するので、簡単な構造で、サインを立てた状態で表示することができる。」
「【００２２】
　図４は、図２の表示部材２の内部でサイン４を表示する状態を、（ａ）の正面図および（ｂ）の右側面図で示す。サイン４として、本尊などの絵柄４ａを金襴などの布の下地４ｂに表示し、絵柄４ａの周囲に金属箔の転写などによる枠４ｃを関連して表示すると、掛け軸と同様な表示を行うことができる。掛け軸と同様に、紙で裏打ちすることもできる。このような布地のサイン４を表示部材２の前面側２ｃと後面側２ｄとの内部に挟んで収容するので、支持部材３で下方から支持すれば、立てた状態で表示することができる。なお、下地４ｂとしては、布目や木目を用いることもでき、装飾的な模様を用いることもできる。」
「【００２４】
　このような仏画をサイン４として表示すると、掛け軸を吊す代りに、立てて表示することができ、仏壇、特に、洋風の部屋に合わせた仏壇などでも、違和感なく使用することができる。特に、サイン立て１は高精度に高さを揃えることができ、本尊や脇仏などを２つ以上並べても、不細工感や違和感を生じさせることがない。」
の記載に基づいており、新規事項を追加するものではないから、特許法第１７条の２第３項に規定する要件を満たす。
３　独立特許要件について　
　本件補正の目的が、特許請求の範囲の減縮との目的を含んでいるので、本件補正後の請求項１に記載されている事項により特定される発明（以下「本願補正発明」という。）が特許法第１７条の２第６項において準用する同法第１２６条第７項の規定に適合するか（特許出願の際独立して特許を受けることができるものであるか）について、以下検討する。
（１）本願補正発明
　本願補正発明は、上記「１　（２）本件補正後の特許請求の範囲」の【請求項１】に記載したとおりのものと認める。
（２）引用例
ア　引用例１
　原査定の拒絶の理由において引用され本願の出願日前の平成２５年１月７日に頒布された特開２０１３−５６２号公報（以下「引用例１」という。）には、には、次の事項が記載されている。
（ア）「【特許請求の範囲】
【請求項１】
　一枚のアクリルの透明板を中央付近の屈曲部２２で折り曲げて構成した表板２１と裏板２３でなるフレーム２と底板４からなり、表板２１を手前に引き広げて、表板２１と裏板２３の間に写真６を横から挿入する場合は、表板の長さを裏板２３の長さと同じか、多少短めにして写真６を挿入し易くし、裏板２３は、底板４に対し垂直又は斜めに、接着剤または溶着で固定し、裏板２３を後方に押し広げで、写真６を横から挿入する場合は、裏板２３の長さを表板２１の長さと同じか、多少短めにして写真６を挿入し易くし、表板２１を底板４に垂直または斜めに、接着剤または溶着で固定することで、表板２１と裏板２３の間に写真６を挟めるようにしたことを特徴とするフォトスタンド。
…
【請求項３】
　請求項１又は請求項２に記載のフォトスタンドであって、接着剤又は溶着を用いないで、底板に長尺状の溝４１を設け、表板又は裏板の何れかを一方を、前記溝に挿入し、フレーム２またはフレーム３を底板に差し込むことを特徴とするフォトスタンド。」
（イ）「【技術分野】
【０００１】
　本発明は、写真、絵葉書、印刷物などを挟み込んで、机など卓上の設置面に片面また両面にて展示するフォトスタンドに関するものである。」
（ウ）「【発明が解決しようとする課題】
【００１３】
　本発明のフォトスタンドは、写真等の差し換えを容易とし、写真の傾きや抜け落ちを防ぎ、かつ取り付けするための付属部品を必要としないフォトスタンドを提供することを目的とする。」
（エ）「【００２２】
　実施例１は一枚のアクリル板を折り曲げて構成した場合で、図１の（ａ）で示すように、本発明の
フォトスタンド１は、一枚のアクリルの透明板を中央付近で折り曲げることにより、屈曲部２２を介した表板２１と裏板２３からなるフレーム２と底板４から構成する。表板２１を手前に引き広げて、写真６を横から挿入する場合は、表板２１の長さを裏板２３の長さと同じか、多少短めにして写真６を挿入し易くする。裏板２３は、底板４に対し垂直
に、
固定している物。
　
裏板２３を後方に押し広げて、写真６を横から挿入する場合は、裏板２３の長さを表板２１の長さと同じか、多少短めにして写真６を挿入し易くする。表板２１を底板４に垂直
に、
固定する。
　
表板２１を手前に引き広げて、写真６を横から挿入して、この表板２１と裏板２３の間に写真６を挟み込む。
　図１の（ｂ）はその側面図である。図１（ｂ）に示すように、挟持部のクリップ力を強くするためには、屈曲部２２に丸みをつけて、表板２１と裏板２３が底板４の方向に閉じて相互に密着するように形成する。」
（オ）「【００２４】
　実施例３は、一枚のアクリル板を折り曲げて構成した場合で、図３の（ａ）で示すように、本発明の
フォトスタンド１は、一枚のアクリルの透明板を中央付近で折り曲げることにより、屈曲部２２を介した表板２１と裏板２３と、底板４から構成する。底板４には、長尺状の溝４１を設け、
底板に長尺状の溝４１を設け、表板又は裏板の何れか一方を、前記溝に挿入し、フレーム２を底板に差し込む。
（カ）「
」
（キ）「
」
（ク）上記（エ）には「表板２１を手前に引き広げて、写真６を横から挿入して、この表板２１と裏板２３の間に写真６を挟み込む。」と記載されているところ、「裏板２３を後方に押し広げて、写真６を横から挿入する場合」でも、同様に、「
裏板２３を後方に押し広げて、写真６を横から挿入して、この表板２１と裏板２３の間に写真６を挟み込む
（ケ）上記（エ）から（キ）より、
屈曲部２２は、一枚のアクリルの透明板を中央付近で折り曲げることにより形成される
矩形形状のフレーム２の上端となるように立てて用いられる
底板４は、矩形板状のもの
　そうすると、上記（ア）から（キ）の記載事項及び（ク）から（ケ）の認定事項より、引用例１には、次の発明（以下「引用発明１」という。）が記載されているものと認められる。
「一枚のアクリルの透明板を中央付近で折り曲げることにより形成される屈曲部２２を介した表板２１と裏板２３からなるフレーム２と矩形板状の底板４から構成され、屈曲部２２が矩形形状のフレーム２の上端となるように立てて用いられるフォトスタンド１であって、
　底板４には、長尺状の溝４１を設け、表板又は裏板の何れか一方を、前記溝に挿入し、フレーム２を底板に差し込むもので、
　表板２１を手前に引き広げて、写真６を横から挿入する場合は、表板２１の長さを裏板２３の長さと同じか、多少短めにして写真６を挿入し易くし、裏板２３は、底板４に対し垂直にし、表板２１を手前に引き広げて、写真６を横から挿入して、この表板２１と裏板２３の間に写真６を挟み込み、
　裏板２３を後方に押し広げて、写真６を横から挿入する場合は、裏板２３の長さを表板２１の長さと同じか、多少短めにして写真６を挿入し易くし、表板２１を底板４に垂直にし、裏板２３を後方に押し広げて、写真６を横から挿入して、この表板２１と裏板２３の間に写真６を挟み込む、
　フォトスタンド１。」
イ　引用例２
　原査定の拒絶の理由において引用され本願の出願日前の平成２５年８月１９日に頒布された特開２０１３−１６１０５１号公報（以下「引用例２」という。）には、には、次の事項が記載されている。
（ア）「【技術分野】
【０００１】
　本発明は、
カードや写真等、あるいはこれらを挟んだパネル
パネル付きスタンド
（イ）「【００２９】
　なお、以上の実施形態では、
本体２を
ガラス
　そうすると、上記（ア）及び（イ）の記載事項より、引用例２には、次の発明（以下「引用発明２」という。）が記載されているものと認められる。
「本体を金属に限らず、合成樹脂、
ガラス
ウ　引用例３
　本願の出願日前の平成２１年１０月２２日に頒布された登録実用新案第３１５４５６９号公報（以下「引用例３」という。）には、には、図面と共に次の事項が記載されている。
（ア）「【技術分野】
【０００１】
　本考案はフレームスタンドに関する。さらに詳細にはフォトフレームスタンドおよび
ピクチャーフレームスタンド
（イ）「【００２３】
　第３の実施の形態による仏壇用掛軸ホルダーは、フレームスタンドに含まれる概念であり、さらにいえば仏画を表装するピクチャースタンドの１形態である。仏壇用掛軸ホルダーは、平面上に載置され、少なくとも掛軸本紙と該掛軸本紙を支持する支持部材とからなる掛軸表示体を収納する仏壇用掛軸ホルダーであって、前記仏壇用掛軸ホルダーが、矩形板状のホルダー本体と、平面上に載置され、該ホルダー本体の裏面に接続され、前記ホルダー本体を立った状態で支持する重し部とを備え、前記ホルダー本体が、上面が開口し、前記掛軸表示体を前記開口から着脱自在に収納することができる中空状の収納部と、前記ホルダー本体の表面に形成され、前記掛軸本紙を表示する表示窓とを有し、前記掛軸表示体を前記収納部に着脱自在に収納した後、前記上面が面一になるように前記上面の開口を覆う蓋材が着脱自在に設けられてなることを特徴としている。
【００２４】
　図６に示されるように、
仏壇用掛軸ホルダー３０は長方形板状のホルダー本体４０とホルダー本体４０の裏面かつ下方に接続される重し部１１とから構成されている。
【００２５】
　
ホルダー本体４０には、ホルダー本体４０内で中空を形成する、断面が長方形状の穴が設けられており、この穴は上面が開口し、掛軸本紙３５を含む掛軸表示体４３を収納する収納部１４となる。
【００２６】
　
掛軸表示体４３は、
に示されるように掛軸本紙３５とそれを支持する支持部材とから少なくとも構成されている。掛軸本紙３５とは、仏画などが描かれた和紙のことをいう。
【００２７】
　表層３６の中央は掛軸本紙３５を表示するため矩形状に大きく開口しており、この開口の外縁が掛軸本紙３５と重複する。この重複した箇所に剥離可能な接着剤を付与し、掛軸本紙３５を表層３６に固定する。
【００２８】
　また、掛軸表示体４３には表層３６の前面に矩形状で透明な保護層８を設けることができる。保護層８にはガラス板やアクリル板などの透明板が用いられる。これによって、掛軸本紙３５を表示しながら、掛軸本紙３５を外力などから保護することができ、また、収納部１４を密閉空間にすることができることから、収納部１４内の湿気や乾燥を緩和することができる。
【００２９】
　第３の実施の形態による仏壇用掛軸ホルダーによれば、重し部がホルダー本体を立った状態で支持するため、仏壇用掛軸ホルダーは平面上に自立し、壁に掛ける必要がない。そのため、仏壇用掛軸ホルダーの設置が容易であり、押しピンなどによって仏壇内の美観を損なうことがない。また、掛軸本紙は仏壇用掛軸ホルダー内に着脱自在に収納されるため、外力による破損や塵埃などによって汚れるおそれが軽減され、保存性に優れる。さらに、掛軸は宗派ごとに異なり、仏壇内には通常３幅の掛軸が備えられるため、それぞれについて相当数の掛軸を用意しなければならず、在庫点数が増えてしまうという問題があるが、本実施の形態の仏壇用掛軸ホルダーによれば、ホルダーと掛軸とは着脱自在であるため、掛軸ごとにホルダーを用意する必要がなく、掛軸ホルダーの在庫点数を減らすことができる。」
　そうすると、上記（ア）及び（イ）の記載事項より、引用例３には、次の発明（以下「引用発明３」という。）が記載されているものと認められる。
「長方形板状のホルダー本体４０とホルダー本体４０の裏面かつ下方に接続される重し部１１とから構成されている仏壇用掛軸ホルダー３０であって、
　ホルダー本体４０には、ホルダー本体４０内で中空を形成する、断面が長方形状の穴が設けられており、この穴は上面が開口し、掛軸本紙３５を含む掛軸表示体４３を収納する収納部１４となり、
　掛軸表示体４３は、掛軸本紙３５とそれを支持する支持部材とから構成され、掛軸本紙３５とは、仏画などが描かれた和紙のことをいう、
仏壇用掛軸ホルダー３０。」
エ　引用例４
　原査定の拒絶の理由において引用され本願の出願日前の昭和４９年１月１０日に頒布された実願昭４７−４０７５５号（実開昭４９−２２８７号）のマイクロフィルム（以下「引用例４」という。）には、には、図面と共に次の事項が記載されている。
（ア）「２．実用新案登録請求の範囲　台盤の上面に垂直掛止溝と傾斜掛止溝とを設けると共に、台盤の底部に磁石を埋設したことを特徴とする書架カード受具。」（１頁４〜７行）
（イ）「３．考案の詳細な説明　本考案は陳列された図書を分別表示する書架カードの受具に関するものである。」（１頁８〜１０行）
（ウ）「１は台盤であつて、木、合成樹脂材により形成されている。台盤１の上面は平滑面として構成してもよいが、図示のように全体を軽量にするため中央部を切欠２することもある。３は垂直掛止溝であつて、書架カード４を垂直に支持するためのものである。５は傾斜掛止溝であつて、垂直掛止溝３に平行して設けられている。この傾斜掛止溝５は書架カード４を上向き、或は下向きに支持するためのものであり、第１図に示すように前方傾斜したものと、後方傾斜したものとの２種類設けることもあるが、第２図に示すように一個だけ設け前後に向きを変えて双方の役をするようにしてもよい。」（２頁１２行〜３頁４行）
（エ）「
」
（オ）上記（ウ）及び（エ）第２図より、書架カード４を傾斜掛止溝５に係止させた場合、上向き、或は下向きに支持させ得ることから、書架カード４の前面は、上向き、或いは下向きのいずれでも設定できることとなる。そうすると、第２図の台盤１の垂直掛止溝３に書架カード4を係止した場合でも書架カード４の前面は、第２図における左向き、或いは右向きの何れ方向にも設定し得るものと認める。よって、台盤１は、垂直掛止溝３から書架カード４の前面側への長さが、垂直掛止溝３から書架カード４の後面側への長さよりも長く設定できるものと認める。
　そうすると、上記（ア）から（エ）の記載事項及び（オ）の認定事項より、引用例４には、次の技術事項（以下「引用例４記載の技術事項」という。）が記載されているものと認められる。
「垂直掛止溝３から書架カード４の前面側への長さが、垂直掛止溝３から書架カード４の後面側への長さよりも長く設定できる台盤１。」
オ　引用例５
　本願の出願日前の平成１８年３月２３日に頒布された特開２００６−７８７２８号公報（以下「引用例５」という。）には、には、図面と共に次の事項が記載されている。
（ア）「【特許請求の範囲】
【請求項１】
　商品展示用の展示台部と、該展示台部の上面に設けた展示台面と、該展示台面の一端部に所定の形状線に沿って垂直に立設した前面板と、該前面板の背面側に平行に所定の間隔を以て垂直に対向立設する背面板とから構成される展示台本体と、該展示台本体の前面板と背面板との対向間に挟持される表示板本体とから構成されることを特徴とする商品展示台兼用ディスプレイ表示体。」
（イ）「【技術分野】
【０００１】
　本発明は、店頭等に商品を載置して商品広告や商品情報の表示をしながら展示、陳列するために使用するディスプレイ表示体に関し、特に商品展示台を兼ねた商品展示台兼用ディスプレイ表示体に関する。」
（ウ）「【００２６】
　本発明の
商品展示台兼用ディスプレイ表示体は、
商品を展示、陳列する展示用の展示台部１と、該展示台部１の上面に設けた平坦な展示台面２と、該展示台面２の一端部１ｄ側に、所定の形状線、例えば直線形状線に沿うような形状にて、該展示台面２に対して垂直方向に立設した前面板３と、該前面板３の背面側に平行に、所定の間隔ｄを以て垂直に対向立設する背面板４とから構成される展示台本体Ａと、該展示台本体Ａの前面板３と背面板４との対向間に挟持される表示板本体Ｂとから構成されている
（エ）「
」（オ）「
」
　そうすると、上記（ア）から（オ）の記載事項より、引用例５には、次の技術事項（以下「引用例５記載の技術事項」という。）が記載されているものと認められる。
「商品を展示、陳列する展示用の展示台部１と、該展示台部１の上面に設けた平坦な展示台面２と、該展示台面２の一端部１ｄ側に、所定の形状線に沿うような形状にて、該展示台面２に対して垂直方向に立設した前面板３と、該前面板３の背面側に平行に、所定の間隔ｄを以て垂直に対向立設する背面板４とから構成される展示台本体Ａと、該展示台本体Ａの前面板３と背面板４との対向間に挟持される表示板本体Ｂとから構成されている、商品展示台兼用ディスプレイ表示体。」
（３）対比
　そこで、本願補正発明と引用発明１とを対比すると、
ア　後者の「一枚のアクリルの透明板を中央付近で折り曲げることにより形成される屈曲部２２」、「フレーム２」、「写真６」、及び「『溝４１を設け』た『矩形板状の底板４』」は、ぞれぞれ、前者の「透明な樹脂板を二つ折りして形成される二つ折り部」、「表示部材」、「サイン」、及び「『矩形板状』で『支持部を備える』『支持部材』」に相当する。
イ　後者の「屈曲部２２」は、矩形形状のフレーム２の上端となるように立てて用いられるものであるから、前者の「二つ折り部」と、後者の「屈曲部２２」とは、矩形形状の上端となるように立てて用いられるものである点で一致する。
ウ　後者の「表示部材」は、その表板２１と裏板２３の間に写真６を挟み込むものであって、表板２１側に写真６を表示することになるのは明らかであるから、前者の「表示部材」と、後者の「フレーム２」とは、折り曲げた内部に挟んで、予め定める前面側に表示すべきサインを保持するものである点で一致する。
エ　後者の「フレーム２」は、表板２１と裏板２３の間に写真６を挟み込むものであるところ、表板２１を手前に引き広げて、写真６を横から挿入する場合は、裏板２３を、底板４に対し垂直にし、裏板２３を後方に押し広げて、写真６を横から挿入する場合は、表板２１を底板４に垂直にするのであるところ、前記何れの場合においてもフレーム２は底板４に対して直立させた状態で、表板２１と裏板２３の間に写真６を挟み込むこととなるのであるから、前者の「支持部材」と、後者の「底板４」とは、表示部材の下側に配置され、板厚を有し、直立させた状態の表示部材に対する支持部を備えるものとの点で一致する。
　したがって、両者は、以下の一致点で一致し、以下の相違点で相違する。
［一致点］
「透明な樹脂板を二つ折りして形成される二つ折り部が矩形形状の上端となるように立てて用いられ、折り曲げた内部に挟んで、予め定める前面側に表示すべきサインを保持する表示部材と、
　表示部材の下側に配置され、矩形板状で板厚を有し、直立させた状態の表示部材に対する支持部を備える支持部材と、
を含む、サイン立て。」
［相違点１］
　本願補正発明の「表示部材」は、二つ折り部が「縦長」の矩形形状の上端となるように立てて用いられるものであるのに対し、引用発明１の「フレーム２」は、そのような特定がなされていない点。
［相違点２］
　本願補正発明の「サイン」は、「掛け軸用の仏画」であるのに対し、引用発明１の「写真６」は、そのような具体的な特定がされていないものである点。
［相違点３］
　本願補正発明の「支持部材」は、「透明」で、表示部材の板厚の「２倍を越える板厚」を有し、「支持部から前面側への長さが、支持部から後面側への長さよりも長い」ものであるのに対し、引用発明１の「底板４」は、その点が定かでない点。
（４）判断
　上記各相違点について、以下、検討する。
ア　［相違点１］について
　一般的に、サイン立てには、縦長の矩形形状のものと横長の矩形形状のものとがあることは、例を示すまでもなくよく知られているところからすれば、引用発明の「フレーム２」を縦長の矩形形状のものとして用いることは、当業者が適宜選択し得る事項と認める。
　そうすると、上記相違点１に係る本願補正発明とすることは、当業者が容易になし得るものである。
イ　［相違点２］について
　引用発明３の「掛軸本紙３５」は、仏画などが描かれた和紙であるから、本願補正発明の「サイン」と、引用発明３の「掛軸本紙３５」とは、「
掛け軸用の仏画」である点で一致する。
　ここで、引用発明３の
　そうすると、上記相違点２に係る本願補正発明は、引用発明１に引用発明３を適用することにより、当業者が容易になし得るものである。
ウ　［相違点３］について
　引用発明２の「スタンド」「本体」及び「ガラス」は、本願補正発明の「支持部材」及び「透明」の「部材」に相当する。
　そして、引用発明１の「底板４」は、その材料が定かでないところ、引用発明２には、「スタンド」「本体」の材料として金属に限らず、合成樹脂、
ガラス
　また、引用発明１において、底版４の板厚とフレーム２の板厚の大小関係は定かでないところ、フレーム２の表板２１または裏板２３のいずれか一方を、底板４の溝に挿入して立ててフォトスタンド１として用いるのであるから、底板４の板厚をフレーム２の板厚の２倍以上とすることは、底版４に対してフレーム２が安定して立つことを考慮して、当業者が適宜設定し得る事項と認める。
　さらに、サイン立ての支持部材における表示部材から前面側への長さを長くすることは、当該技術分野において周知の技術手段(例えば、前記引用例４記載の技術事項及び引用例５記載の技術事項参照。以下「周知技術」という。)であって、一般に慣用されている事項ともいえる事項であるから、引用発明１において、溝４１から前面側への長さが、溝４１から後面側への長さよりも長くすることは、引用発明１に、前記周知技術を適用することにより、当業者が容易に相当し得るものである。
　また、本願補正発明の効果も、引用発明１から３及び上記周知の技術手段から、当業者が予測し得る程度のものといえる。
　請求人は、「請求項１に係る本願発明と引用文献１−４に記載の発明とは、少なくとも＜Ｃ＞の特徴について異なる。＜Ｃ＞の特徴は、「支持部材は、支持部から前面側への長さが、支持部から後面側への長さよりも長い」ことであり、引用文献５、６には明確に示されておらず、これによって前方には倒れにくくなる効果を奏する。」と主張する。
　しかし、上記「エ　引用例４」及び「オ　引用例５」のとおりであって、サイン立ての支持部材における表示部材から前面側への長さを長くすることは、当該技術分野において周知の技術手段といえるのであるから、請求人の主張は採用できない。
　したがって、本願補正発明は、特許法第２９条第２項の規定により、引用発明１から３及び上記周知技術から、当業者が容易に発明できた発明であって、特許出願の際、独立して特許を受けることが出来ないものであるから、本件補正は、特許法第１７条の２第６項の規定において準用する同法第１２６条第７項の規定に違反するので、同法第１５９条第１項の規定において読み替えて準用する同法第５３条第１項の規定により却下すべきものである。
（５）むすび
　以上のとおり、本件補正は、特許法第１７条の２条第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　本件補正は上記第２のとおり却下されたので、本願の請求項１に係る発明は、平成３１年３月４日に提出された手続補正書により補正された特許請求の範囲の請求項１に記載された事項によって特定される次のとおりのものである。
「【請求項１】
透明な樹脂板を二つ折りして形成される二つ折り部が縦長の矩形形状の上端となるように立てて用いられ、折り曲げた内部に挟んで、予め定める前面側に表示すべきサインを保持する表示部材と、
　　表示部材の下側に配置され、矩形板状で表示部材の板厚の２倍を越える板厚を有し、直立させた状態の表示部材に対する支持部を備える支持部材と、
を含み、
　支持部材は、支持部から前面側への長さが、支持部から後面側への長さよりも長い、
むことを特徴とするサイン立て。」（以下「本願発明」という。）
２　原査定の拒絶の理由
　原査定の拒絶の理由は、この出願の請求項１に係る発明は、その出願前に日本国内又は外国において、頒布された下記引用文献に記載された発明及び周知技術に基いて、その出願前にその発明の属する技術の分野における通常の知識を有する者が容易に発明をすることができたものであるから、特許法第２９条第２項の規定により特許を受けることができない、という理由を含むものである。
引用文献：特開２０１３−５６２号公報
３　引用例
　令和１年７月３０日付けの拒絶理由通知において、請求項１に対して通知された進歩性欠如の拒絶理由で、上記引用文献を主引用例とする理由で引用された引用例、及び、その記載内容は上記「第２　３　（２）引用例」に記載したものに加え、以下のとおりである。
引用例６（実願昭５２−１７０１３２号（実開昭５４−９５４９６号）のマイクロフィルム）
「
」
４　対比・判断
　本願発明は、実質的に、本願補正発明の「（予め定める前面側に表示すべきサイン）
として掛け軸用の仏画
透明な（支持部材）
　そうすると、本願発明と引用発明１とを対比すると、上記「第２　３　（３）対比」での検討を勘案すると、両者は、下記の点で相違する。
［相違点１］
　本願発明の「表示部材」は、二つ折り部が「縦長」の矩形形状の上端となるように立てて用いられるものであるのに対し、引用発明１の「フレーム２」は、そのような特定がなされていない点。
［相違点３’］
　本願発明の「支持部材」は、表示部材の板厚の「２倍を越える板厚」を有し、「支持部から前面側への長さが、支持部から後面側への長さよりも長い」ものであるのに対し、引用発明１の「底板４」は、その点が定かでない点。
　そして、上記［相違点３’］は、上記［相違点３］から、「透明」との事項を削除したものであることから、上記「第２　３　（４）判断」における検討内容を踏まえれば、本願発明は、引用発明１及び引用発明２並びに前記周知技術に基づいて当業者が容易に発明をすることができたものである。
５　むすび
　以上のとおり、本願発明は、特許法第２９条第２項の規定により特許を受けることができないものである。
　したがって、他の請求項に係る発明について検討するまでもなく、本願は拒絶すべきものである。
　よって、結論のとおり審決する。